(57)【要約】【課題】本体部と保持片の間にカードを着脱可能に保持するカードホルダに関し、保持片近傍の強度を補強した態様で使用可能なカードホルダを提供する。【解決手段】カードホルダ１は、カード保持部１０と、薄肉ヒンジ２０と、補強部３０と、枠体部４０と、取付部５０を有し、上側金型ＭＡ及び下側金型ＭＢに合成樹脂を射出成型して一体成型される。カード保持部１０は、平板状の本体部１１と、本体部１１表面から間隔を隔てた位置に形成された保持片１３とを有し、本体部１１と保持片１３の間に挿入することで、識別カードＴを保持し得る。本体部１１における保持片１３と対向する範囲に開口部１１Ａが形成されている。薄肉ヒンジ２０を軸として、当該カード保持部１０を回動し、補強部３０に重ね合わせた使用状態にすると、開口部１１Ａの一部分が補強部３０と重なり、補強部３０によって、カード保持部１０における保持片１３近傍の強度を補う。【選択図】図６
2014099135.tif 000002
【特許請求の範囲】
【請求項１】
平板状の本体部と、前記本体部表面から間隔を隔てた位置に形成された保持片と、を樹脂により一体成型し、前記本体部と前記保持片の間に挿入することで、カードを保持可能に構成されたカード保持部を有するカードホルダであって、
前記カード保持部は、
前記本体部における前記保持片と対向する範囲を開口した開口部を有し、
前記カードホルダは、
前記カード保持部における本体部の一辺側において、前記カード保持部と共に樹脂により一体成型された平板状の補強部と、
前記カード保持部及び前記補強部の間において、前記カード保持部及び前記補強部と共に樹脂により一体成型され、前記カード保持部を、前記補強部に対して回動可能に接続する薄肉ヒンジと、を有し、
前記薄肉ヒンジを中心に、前記カード保持部を回動させて、前記補強部に重ね合わせた場合に、前記開口部の少なくとも一部分は、前記補強部と重なる
ことを特徴とするカードホルダ。
【請求項２】
請求項１記載のカードホルダであって、
前記薄肉ヒンジが形成された前記補強部の一辺に対向し、且つ、前記カード保持部が回動可能な寸法離間した位置において、樹脂により形成され、当該カードホルダを対象物に取り付ける為の取付部と、
前記薄肉ヒンジが形成された前記補強部の一辺と、当該補強部の一辺に対向する前記取付部の一辺と共に、前記カード保持部の端縁を囲むように、樹脂により前記補強部及び前記取付部と共に一体成型された枠体部と、を有する
ことを特徴とするカードホルダ。
【発明の詳細な説明】
【技術分野】
【０００１】
本発明は、名称や属性、ロット番号等の情報が記録されたカードを着脱可能に保持するカードホルダに関する。
【背景技術】
【０００２】
従来、カードホルダは、物品の名称や属性、ロット番号等の情報が記録されたカードを着脱可能に構成されており、当該物品を収納した運搬用容器や、当該物品や運搬用容器等を収納・保管する為のラック等に取り付けられている。そして、自動倉庫等においては、カードホルダに保持されたカードから取得される情報を用いて、物品及び物品が収納された運搬用容器の搬入、搬出及び管理等を行うように構成されている。
【０００３】
上述のようなカードホルダに関する発明として、例えば、特許文献１に記載された発明が知られている。特許文献１記載のカードホルダは、合成樹脂により平板状に形成された底部（本願の本体部に相当）と、当該底部と共に一体形成され、底部と所定間隔を隔てて水平に延出された張出部（本願の保持片に相当）を有して構成されている。そして、特許文献１記載のカードホルダは、底部と張出部の間にカードを挿入することにより、当該カードを着脱可能に挟持している。
【先行技術文献】
【特許文献】
【０００４】
【特許文献１】特許第３３１５５０９号公報
【発明の概要】
【発明が解決しようとする課題】
【０００５】
ここで、上述のようなカードホルダを成形する際には、単純な金型構造である凹凸金型が用いられる場合がある。この凹凸金型は、成形品の一面を形成する為の凸状が形成された金型（コアプレート）と、成形品の他の一面を形成する為の凹状が形成された金型（キャビティプレート）により構成されており、両者の凹凸により一対の金型の間に形成されるキャビティ内に成形品が形成される。そして、成形品は、一方の金型から他方の金型を離間するように移動させることで、キャビティ内から取り出される。
【０００６】
このような凹凸金型によって、特許文献１記載のカードホルダを一体形成する場合、張出部が底部から所定間隔を隔てた位置に形成する関係上、カードホルダの底部において、張出部と対向する範囲には、必然的に、金型を抜く為の開口部が形成される。この結果、特許文献１記載のカードホルダでは、張出部近傍に開口部が形成されてしまう為、張出部近傍の強度の低下や、底部と張出部によるカードの保持強度の低下を招いてしまう。
【０００７】
この点に鑑みて、カードの保持力を高める為に、一の張出部を大きく形成すると、必然的に開口部も大きくなってしまう為、張出部近傍の強度を低下させてしまう。又、カードの保持力を高める為に、複数の張出部を形成すると、カードをカードホルダに取り付ける際に、カード端部を、各張出部と底部の間に挿通しなければならない為、張出部にひっかかってしまう場合があり、カードをカードホルダに取り付ける際の利便性を低下させてしまう。
【０００８】
上述のように、凹凸金型を用いた場合、必然的に開口部が形成されてしまう為、張出部近傍の強度低下等を招く。この点、開口部を形成することなく、特許文献１記載のカードホルダを形成するには、スライド金型等を用いる必要があり、金型構造が複雑になってしまい、金型が大掛かりなものになってしまう。又、張出部を別部材として形成すると、カードホルダを製造する過程で、別部材である張出部を取り付ける工程が発生し、カードホルダにおける部品点数及び工数の増大を招いてしまう。
【０００９】
本発明は、本体部と保持片の間にカードを着脱可能に保持するカードホルダに関し、保持片近傍の強度を補強した態様で使用可能なカードホルダを提供する。
【課題を解決するための手段】
【００１０】
請求項１に係るカードホルダは、平板状の本体部と、前記本体部表面から間隔を隔てた位置に形成された保持片と、を樹脂により一体成型し、前記本体部と前記保持片の間に挿入することで、カードを保持可能に構成されたカード保持部を有するカードホルダであって、前記カード保持部は、前記本体部における前記保持片と対向する範囲を開口した開口部を有し、前記カードホルダは、前記カード保持部における本体部の一辺側において、前記カード保持部と共に樹脂により一体成型された平板状の補強部と、前記カード保持部及び前記補強部の間において、前記カード保持部及び前記補強部と共に樹脂により一体成型され、前記カード保持部を、前記補強部に対して回動可能に接続する薄肉ヒンジと、を有し、前記薄肉ヒンジを中心に、前記カード保持部を回動させて、前記補強部に重ね合わせた場合に、前記開口部の少なくとも一部分は、前記補強部と重なることを特徴とする。
【００１１】
そして、請求項２に係るカードホルダは、請求項１記載のカードホルダであって、前記薄肉ヒンジが形成された前記補強部の一辺に対向し、且つ、前記カード保持部が回動可能な寸法離間した位置において、樹脂により形成され、当該カードホルダを対象物に取り付ける為の取付部と、前記薄肉ヒンジが形成された前記補強部の一辺と、当該補強部の一辺に対向する前記取付部の一辺と共に、前記カード保持部の端縁を囲むように、樹脂により前記補強部及び前記取付部と共に一体成型された枠体部と、を有することを特徴とする。
【発明の効果】
【００１２】
請求項１に係るカードホルダは、カード保持部と、補強部と、薄肉ヒンジとを有し、樹脂により一体成型されている。カード保持部は、平板状の本体部と、前記本体部表面から間隔を隔てた位置に形成された保持片とを有しており、前記本体部と前記保持片の間に挿入することで、カードを保持可能に構成されている。そして、当該カード保持部は、前記本体部における前記保持片と対向する範囲を開口した開口部を有している。従って、当該カードホルダによれば、単純な金型構造である凹凸金型によって、カード保持部を構成する本体部及び保持片を形成することができる。薄肉ヒンジは、前記カード保持部と、当該カード保持部における本体部の一辺側に平板状に形成された補強部の間において、前記カード保持部を、前記補強部に対して回動可能に接続している。従って、当該カードホルダによれば、薄肉ヒンジを軸として、カード保持部を回動させることができ、当該カード保持部を補強部に対して重ね合わせることができる。そして、当該カードホルダによれば、前記薄肉ヒンジを中心に、前記カード保持部を回動させて、前記補強部に重ね合わせた場合に、前記開口部の少なくとも一部分は、前記補強部と重なるように構成されている為、補強部によって、カード保持部における保持片近傍の強度を補うことができ、十分な保持強度を有するカードホルダを提供し得る。
【００１３】
請求項２に係るカードホルダは、更に、樹脂により一体成型された取付部と、枠体部とを有している。取付部は、前記薄肉ヒンジが形成された前記補強部の一辺に対向し、且つ、前記カード保持部が回動可能な寸法離間した位置に形成され、当該カードホルダを対象物（例えば、運搬用容器やラック等）に取り付ける際に用いられる。枠体部は、薄肉ヒンジが形成された前記補強部の一辺と、当該補強部の一辺に対向する前記取付部の一辺と共に、前記カード保持部の端縁を囲むように形成されている。従って、当該カードホルダによれば、前記薄肉ヒンジを中心に、前記カード保持部を回動させて、前記補強部に重ね合わせることで、カード保持部を、前記枠体部に相当する寸法の分、前記取付部から離間した位置に位置させることができる。ここで、近年、カードホルダに保持されるカードとして、無線タグが配設されたカードが用いられる場合があり、無線タグ内に記録された情報を、電波の送受信により読み取って利用することで、物品の搬入、搬出及び管理等が行われる。無線タグに記録された情報の読取を行う際に送受信される電波は、無線タグ近傍に金属や液体が存在する場合に、その影響を受ける為、このような場合に、無線タグに記録された情報の読取不良を起こす場合がある。この点、当該カードホルダによれば、カード保持部を前記補強部に重ね合わせることで、無線タグを有するカードを保持したカード保持部を、前記枠体部に相当する寸法の分、前記取付部から離間した位置に位置させることができるので、対象物近傍に金属や液体が存在する場合（例えば、運搬用容器に金属や液体を収納している場合等）であっても、無線タグに記録された情報の読取不良を防止し得る。
【図面の簡単な説明】
【００１４】
【図１】第１実施形態に係るカードホルダの通常状態を示す外観斜視図（１）である。
【図２】第１実施形態に係るカードホルダの通常状態を示す外観斜視図（２）である。
【図３】図１におけるＩ−Ｉ断面を示す側断面図である。
【図４】第１実施形態に係るカードホルダの使用状態を示す外観斜視図（１）である。
【図５】第１実施形態に係るカードホルダの使用状態を示す外観斜視図（２）である。
【図６】図４におけるＩＩ−ＩＩ断面を示す側断面図である。
【図７】第１実施形態に係るカードホルダを金属ラックに取り付けた状態を示す説明図である。
【図８】第１実施形態に係るカードホルダをコンテナに取り付けた状態を示す説明図である。
【図９】第１実施形態に係るカードホルダを成型する際の金型の側断面図である。
【図１０】傾斜したカード保持部を有するカードホルダの側断面図である。
【図１１】第２実施形態に係るカードホルダの通常状態を示す外観斜視図である。
【図１２】第２実施形態に係るカードホルダの使用状態を示す外観斜視図である。
【図１３】第２実施形態に係るカードホルダに、カードを取り付けた状態を示す外観斜視図である。
【発明を実施するための形態】
【００１５】
以下、本発明に係るカードホルダを、カードホルダ１に適用した実施形態（第１実施形態）に基づいて、図面を参照しつつ詳細に説明する。
【００１６】
（第１実施形態）
先ず、第１実施形態に係るカードホルダ１の構成について、図面を参照しつつ説明する。第１実施形態に係るカードホルダ１は、組立工場や配送場等において、対象物（後述するコンテナＣや金属ラックＲ）に対して取り付けられ、識別カードＴを保持可能に構成されている（図７、図８参照）。識別カードＴは、無線タグＴＷを有しており、無線タグＴＷには、物品の名称や属性、ロット番号等の多様な情報が記録されている。
【００１７】
尚、以下の説明においては、カードホルダ１が対象物（後述するコンテナＣや金属ラックＲ）に取り付けられている状態を基準として、カードホルダ１の上下方向を定義し、対象物側を後側、その逆側を前側（正面）として、前後方向を定義して説明する。又、カードホルダ１の左右方向については、対象物側から前側を向いた場合の左右方向として定義して説明する。
【００１８】
図１〜図６に示すように、第１実施形態に係るカードホルダ１は、カード保持部１０と、薄肉ヒンジ２０と、補強部３０と、枠体部４０と、取付部５０を有しており、図９に示すように、上側金型ＭＡ及び下側金型ＭＢを用いて、合成樹脂を射出成型することで、一体成型されている。カード保持部１０は、一部が開放された箱型状に形成されており、識別カードＴを着脱可能に保持する。当該カード保持部１０は、その一辺側に形成された薄肉ヒンジ２０を介して、カード保持部１０の前方に配置された平板状の補強部３０に対して回動自在に接続されている。従って、当該カードホルダ１は、薄肉ヒンジ２０を軸としたカード保持部１０の回動状態に応じて、通常状態（図１〜図３参照）と、使用状態（図４〜図６参照）の２つの態様をとり得る。
【００１９】
尚、通常状態とは、図１〜図３に示すように、薄肉ヒンジ２０を軸として、カード保持部１０を回動させることなく、略水平に保持している状態である。そして、使用状態とは、薄肉ヒンジ２０を軸として、カード保持部１０を回動させ、補強部３０上面に重ね合わせた状態を意味し、カードホルダ１として、対象物（金属ラックＲやコンテナＣ等）に取り付けられ、使用される状態を意味する。
【００２０】
カード保持部１０は、本体部１１と、側壁１２と、保持片１３と、係止突起１４を有し、識別カードＴを着脱可能に保持するカードホルダ１の主要部を構成する。当該カード保持部１０は、本体部１１と、側壁１２と、保持片１３によって、一部が開放された箱型状に形成される。本体部１１は、略四角形を為す板状に形成されており、箱状を為すカード保持部１０の一面を構成する。又、本体部１１の一辺側（補強部３０側に位置する一辺）には、薄肉ヒンジ２０が形成されている。
【００２１】
側壁１２は、本体部１１において、薄肉ヒンジ２０が形成された一辺と、その左右両側に位置する２辺に沿って、本体部１１の一面側（通常状態における下面側）に立設されており、箱状を為すカード保持部１０の側面を構成する。
【００２２】
保持片１３は、カード保持部１０の左右両側に形成された側壁１２の端縁から、本体部１１表面に対して水平に延出されており、本体部１１表面に対して所定の間隔を隔てた位置に形成されている。図７、図８に示すように、当該カードホルダ１は、本体部１１と保持片１３の間に識別カードＴを挿入することで、識別カードＴの左右両側端部を押さえることができ、もって、識別カードＴを保持することができる。
【００２３】
又、各保持片１３は、図１、図５に示すように、本体部１１側の一面に、本体部１１表面に向かって突出形成された保持リブ１３Ａを有している。この保持リブ１３Ａによって、保持リブ１３Ａ端部と本体部１１表面の間隔を若干狭めることができるので、識別カードＴの左右両側端部を挟持することができる。
【００２４】
ここで、上述したように、カードホルダ１は、上述した凹凸金型である上側金型ＭＡ及び下側金型ＭＢを用いて、合成樹脂を射出成型することにより一体に形成される。そして、保持片１３を本体部１１表面から所定間隔を隔てた位置に形成し、下側金型ＭＢを抜く必要がある為、本体部１１には、各保持片１３と対向する範囲以上の大きさの開口部１１Ａが、必然的に形成されている。
【００２５】
そして、係止突起１４は、本体部１１の他面側（通常状態における上面側）に突出形成されており、薄肉ヒンジ２０を軸に、カード保持部１０を補強部３０に重ね合わせた場合に、補強部３０に形成された係止孔３１と係合する（図５、図６参照）。従って、カード保持部１０の係止突起１４を、補強部３０の係止孔３１と係合させることにより、カードホルダ１は、カード保持部１０を補強部３０に重ね合わせた使用状態を維持することができる。
【００２６】
薄肉ヒンジ２０は、カードホルダ１の前方部分を構成する補強部３０と、カード保持部１０の間において、カード保持部１０を構成する本体部１１の一辺側に沿って形成されている（図１〜図６参照）。上述したように、薄肉ヒンジ２０は、カード保持部１０や補強部３０等、カードホルダ１を構成する各部と一体に形成されており、カード保持部１０の本体部１１の厚み及び、補強部３０の厚みよりも薄く形成されている。カード保持部１０及び補強部３０よりも薄肉に形成することにより、薄肉ヒンジ２０は、前記カード保持部１０を、前記補強部３０に対して回動可能に接続し得る。
【００２７】
補強部３０は、略四角形の平板状に形成されており、当該カードホルダ１の前方部分を構成する。補強部３０は、カードホルダ１において、前方側ほど上方に位置するように、所定角度で傾斜した状態で配置されている。上述したように、補強部３０における後方下側に位置する一辺には、薄肉ヒンジ２０が一体形成されており、カード保持部１０を回動可能に保持している。従って、図４〜図６に示すように、薄肉ヒンジ２０を軸として、カード保持部１０を回動させて使用状態にすると、カード保持部１０は、補強部３０の傾斜に沿った状態となる。又、補強部３０の中央部分には、係止孔３１が形成されており、カード保持部１０の係止突起１４と協働することにより、カード保持部１０を補強部３０に重ね合わせた使用状態を維持する。
【００２８】
枠体部４０は、カードホルダ１の前方部分を構成する補強部３０と、カードホルダ１の後方部分を構成する取付部５０との間を接続し、通常状態にあるカード保持部１０の側面（即ち、薄肉ヒンジ２０が形成されている部分を除く三方の側面）を囲むように形成されている。
【００２９】
取付部５０は、当該カードホルダ１の後方部分を構成し、当該カードホルダ１を対象物（例えば、金属ラックＲやコンテナＣ）に取り付ける際に用いられる。又、当該取付部５０には、取付溝５１と、取付突起５２が形成されている。取付溝５１は、取付部５０において、下方が開放されており溝状に形成されており、カードホルダ１の左右方向に延びている。取付溝５１は、その内部に対象物（金属ラックＲやコンテナＣ）の一部が挿入されることにより、カードホルダ１を対象物に対して保持する。取付突起５２は、取付溝５１の内壁面に形成されており、取付溝５１内に挿入された対象物の一部を挟持する。
【００３０】
図１〜図３に示すように、第１実施形態に係るカードホルダ１が通常状態にある場合、カード保持部１０は、補強部３０と取付部５０の間の位置において、枠体部４０と略平行な状態で保持されている。図９に示すように、当該カードホルダ１は、上側金型ＭＡ及び下側金型ＭＢを用いて、射出成型されると、通常状態で上側金型ＭＡ及び下側金型ＭＢの間に形成される。従って、第１実施形態に係るカードホルダ１は、上側金型ＭＡ及び下側金型ＭＢから取り外され、製造された時点では、通常状態を為す。
【００３１】
そして、第１実施形態に係るカードホルダ１は、対象物（金属ラックＲやコンテナＣ）に取り付けて使用する場合、図４〜図６に示す使用状態に変更して使用される。具体的に通常状態から、薄肉ヒンジ２０を軸として、カード保持部１０を、カードホルダ１の上方に向かって回動させ、カード保持部１０を、補強部３０上面に重ね合わせることにより、カードホルダ１を使用状態に変更する。この時、カード保持部１０の係止突起１４は、補強部３０に形成された係止孔３１を挿通し、カード保持部１０を補強部３０上面に係止する。係止突起１４と係止孔３１の協働により、カードホルダ１は、使用状態を維持することができる。
【００３２】
図４〜図６に示すように、カードホルダ１が使用状態にある場合、カード保持部１０の本体部１１は、補強部３０上面に対して重ね合わされている。上述したように、本体部１１には、各保持片１３に対向する範囲に、開口部１１Ａを有している為、当該カードホルダ１が使用状態にある場合に、各開口部１１Ａの少なくとも一部は、補強部３０によって閉塞され、補強部３０と重なる位置に配置される（図６参照）。
【００３３】
ここで、カード保持部１０において、保持片１３と対向する部分には、開口部１１Ａが形成されている為、カード保持部１０における各保持片１３近傍の強度は、他の部分よりも低いことになる。この点、図４〜図６に示すように、カードホルダ１を使用状態にすれば、各開口部１１Ａの少なくとも一部を、補強部３０と重なる位置に配置することができるので、補強部３０によって、各保持片１３近傍の強度を補うことができ、カードホルダ１における保持強度を、十分なものとすることができる。
【００３４】
次に、第１実施形態に係るカードホルダ１の使用態様について、図７、図８を参照しつつ詳細に説明する。先ず、第１実施形態に係るカードホルダ１を、金属ラックＲに取り付けて使用する場合について説明する。ここで、当該金属ラックＲは、自動倉庫、組立工場や配送場等において、物品や、当該物品を収納した運搬用容器（例えば、コンテナＣ）等を収納・保管する為のラックであり、棚枠ＲＡを含む金属製の部材によって構成されている。図７に示すように、棚枠ＲＡは、金属ラックＲを構成する所定の断面形状を有する金属鋼材であり、金属ラックＲにおいて、水平方向に延びるように配設されている。又、棚枠ＲＡの下側リップ部分を構成する下側端縁は、上方に向かって鉛直に立設されている。
【００３５】
図７に示すように、第１実施形態に係るカードホルダ１は、取付部５０の取付溝５１を介して、金属ラックＲを構成する棚枠ＲＡの下側端縁に対して取り付けられる。具体的には、棚枠ＲＡの下側端縁の上方から、当該使用状態とされたカードホルダ１を下方に移動させ、取付部５０の取付溝５１内に、棚枠ＲＡの下側端縁を挿入する。これにより、取付部５０の取付溝５１によって、棚枠ＲＡの下側端縁が挟持されることになるので、第１実施形態に係るカードホルダ１を、金属ラックＲの棚枠ＲＡに対して取り付けることができる。
【００３６】
尚、第１実施形態に係るカードホルダ１を対象物（金属ラックＲやコンテナＣ）に取り付けた状態で、カードホルダ１が使用状態であればよく、通常状態で取り付けた後に、カード保持部１０を回動させて使用状態にしても良い。
【００３７】
そして、使用状態で棚枠ＲＡに取り付けられたカードホルダ１において、識別カードＴが、カード保持部１０内に挿入されて保持される。上述したように、識別カードＴは、無線タグＴＷを有しており、無線タグＴＷには、物品の名称や属性、ロット番号等の多様な情報が記録されている。
【００３８】
ここで、無線タグＴＷに記録されている情報の読取を正常に行う為には、無線タグＴＷと、無線タグリーダ（図示せず）との間で、電波の送受信が正常に行われることが必要である。この点、無線タグＴＷと、無線タグリーダとの間で送受信される電波は、無線タグＴＷ近傍に位置する金属や液体の影響を受ける場合があり、これらの金属や液体の影響を受けた場合、無線タグＴＷに記録された情報の読取不良が生じ得る。
【００３９】
第１実施形態に係るカードホルダ１を、金属ラックＲの棚枠ＲＡに対して、使用状態で取り付けた場合、カード保持部１０は、棚枠ＲＡから、枠体部４０に相当する距離の分だけ離間した位置に位置する（図７参照）。従って、カード保持部１０に保持された識別カードＴの無線タグＴＷは、金属である棚枠ＲＡから、枠体部４０に相当する距離以上離間した位置に位置する。これにより、無線タグＴＷに記録された情報を読み取る際に送受信される電波が、金属製の棚枠ＲＡから受ける影響を小さくすることができるため、当該カードホルダ１は、無線タグＴＷの読取不良が少ない態様で、識別カードＴを保持することができる。
【００４０】
又、第１実施形態に係るカードホルダ１を、金属ラックＲの棚枠ＲＡに対して、使用状態で取り付けた場合、カード保持部１０は、補強部３０に沿って所定角度で傾斜した状態となる。この場合、カード保持部１０に保持された識別カードＴも、所定角度で傾斜した状態となる為、無線タグＴＷに記録された情報の読取精度を向上させ得る。
【００４１】
次に、第１実施形態に係るカードホルダ１を、コンテナＣに取り付けて使用する場合について説明する。ここで、当該コンテナＣは、自動倉庫、組立工場や配送場等において、物品（例えば、金属製部品や液体等）を収納する運搬用容器であり、合成樹脂によって、上方が開放された箱状に形成されている。図８に示すように、コンテナＣは、その開口縁を構成する四辺に、取付穴ＣＡを有している。取付穴ＣＡは、第１実施形態に係るカードホルダ１を取り付ける為の長穴であり、取付部５０の一部を挿入可能に構成されている。
【００４２】
図８に示すように、第１実施形態に係るカードホルダ１は、取付部５０の取付溝５１を介して、コンテナＣの取付穴ＣＡに対して取り付けられる。具体的には、コンテナＣの取付穴ＣＡの上方から、当該使用状態とされたカードホルダ１を下方に移動させ、取付部５０の一部を、コンテナＣの取付穴ＣＡ内に挿入する。これにより、取付部５０の取付溝５１によって、コンテナＣの開口縁の一部が挟持されることになるので、第１実施形態に係るカードホルダ１を、コンテナＣに対して取り付けることができる。
【００４３】
図８に示すように、使用状態でコンテナＣに取り付けられたカードホルダ１において、識別カードＴが、カード保持部１０内に挿入されて保持される。そして、第１実施形態に係るカードホルダ１を、コンテナＣに使用状態で取り付けた場合、カード保持部１０は、コンテナＣの側面から、枠体部４０に相当する距離の分だけ離間した位置に位置する。従って、コンテナＣ内に、金属製部品や液体等が収納されている場合において、カード保持部１０に保持された識別カードＴの無線タグＴＷは、コンテナＣ内部に収納されている金属製部品等から、枠体部４０に相当する距離以上離間した位置に位置する。これにより、無線タグＴＷに記録された情報を読み取る際に送受信される電波が、コンテナＣ内部に収納された金属製部品等から受ける影響を小さくすることができるため、当該カードホルダ１は、無線タグＴＷの読取不良が少ない態様で、識別カードＴを保持することができる。
【００４４】
又、第１実施形態に係るカードホルダ１を、コンテナＣに対して、使用状態で取り付けた場合、カード保持部１０は、補強部３０に沿って所定角度で傾斜した状態となる。この場合、カード保持部１０に保持された識別カードＴも、所定角度で傾斜した状態となる為、無線タグＴＷに記録された情報の読取精度を向上させ得る。
【００４５】
続いて、第１実施形態に係るカードホルダ１の製造工程について、図９を参照しつつ詳細に説明する。上述したように、第１実施形態に係るカードホルダ１は、上側金型ＭＡ及び下側金型ＭＢを用いて、合成樹脂を射出成型することによって、一体的に形成される。即ち、図９に示すように、上側金型ＭＡの下面及び下側金型ＭＢの上面によって形成される空間（コア及びキャビティによって構成される空間）内に、合成樹脂を射出成型することによって、第１実施形態に係るカードホルダ１は、一体的に形成される。
【００４６】
そして、上側金型ＭＡ及び下側金型ＭＢにより構成される空間内に射出成型された合成樹脂が冷却固化された段階で、上側金型ＭＡ若しくは下側金型ＭＢを、離間する方向（即ち、図９における上又は下方向）に移動させて、空間内に形成された第１実施形態に係るカードホルダ１を、上側金型ＭＡ若しくは下側金型ＭＢから取り外す。これにより、第１実施形態に係るカードホルダ１は、上側金型ＭＡ及び下側金型ＭＢを用いて、合成樹脂を射出成型して、製造することができる。
【００４７】
尚、図９に示すように、第１実施形態に係るカードホルダ１は、上側金型ＭＡ及び下側金型ＭＢの間で、通常状態で成型されている為、カード保持部１０を構成する側壁１２の厚み等が小さくなることはなく、所定の強度を維持した状態で成型される。
【００４８】
ここで、上側金型ＭＡ及び下側金型ＭＢのような、凹凸金型を用いて、第１実施形態に係るカードホルダ１の使用状態と同様の状態のカードホルダ１００を製造した場合について、図１０を参照しつつ考察する。当該カードホルダ１００は、上述した第１実施形態に係るカードホルダ１の使用状態と同様に、前方側において所定角度で傾斜した状態で配置されたカード保持部１１０と、後方側に形成された取付部１５０を有している。
【００４９】
そして、このカードホルダ１００におけるカード保持部１１０は、所定角度で傾斜した平板状の本体部１１１と、本体部１１１における三辺に沿って立設された側壁１１２と、カード保持部１１０の左右両側に形成された側壁１１２の端縁から、本体部１１１表面に対して水平に延出された保持片１１３とを有して構成されている。又、この場合においても、上側金型ＭＡ及び下側金型ＭＢと同様の凹凸金型により、保持片１１３を形成する関係上、保持片１１３の下方に相当する部分を含む本体部１１１の所定範囲には、開口部１１１Ａが形成される。
【００５０】
上述したように、当該カードホルダ１００は、凹凸金型を用いて合成樹脂を射出成型して製造され、凹凸金型を上又は下方向に移動させて、離間させることにより、凹凸金型内から取り出される。図１０に示すように、カードホルダ１００においては、カード保持部１１０が所定角度で傾斜した状態で射出成型されるので、カード保持部１１０下部に形成される側壁１１２は、凹凸金型の移動方向（即ち、上又は下方向）の関係上、その厚みが小さくなってしまい、第１実施形態に係るカードホルダ１よりも強度の低い強度低下部分Ｗとなってしまう。この点、第１実施形態に係るカードホルダ１は、図９に示すように、上側金型ＭＡ及び下側金型ＭＢ内に、通常状態で形成される為、使用状態においてカード保持部１０下部に位置する側壁１２の厚みが小さくなることはなく、十分な強度を有するカード保持部１０を形成し得る。
【００５１】
又、図１０に示すように、カードホルダ１００においては、保持片１１３と対向する部分に、開口部１１１Ａが形成された状態で使用されることになり、第１実施形態に係るカードホルダ１のように、補強部３０で強度を補うこともできない。従って、当該カードホルダ１００においては、カード保持部１１０における保持片１１３近傍の強度が、第１実施形態に係るカードホルダ１よりも低下した状態で使用されることになる。上述したように、第１実施形態に係るカードホルダ１によれば、使用状態にすることで、カード保持部１０における開口部１１Ａの一部を、補強部３０と重ね合わせることができ、もって、カード保持部１０における保持片１３近傍の強度を補うことができる。
【００５２】
更に、当該カードホルダ１００は、凹凸金型に合成樹脂を射出成型することによって、第１実施形態に係るカードホルダ１が使用状態である状態と同様の構成で形成される。この点、第１実施形態に係るカードホルダ１では、上側金型ＭＡ及び下側金型ＭＢに合成樹脂を射出成型することにより、補強部３０及び取付部５０の間に、カード保持部１０が位置する通常状態で形成される。図９、図１０からわかるように、当該カードホルダ１００の前後方向の長さは、第１実施形態に係るカードホルダ１と比較して長く形成されることになる為、カードホルダ１００を構成する為の凹凸金型は、第１実施形態に係るカードホルダ１を形成する為の上側金型ＭＡ及び下側金型ＭＢと比較して、大型なものとなってしまう。換言すれば、第１実施形態に係るカードホルダ１によれば、図１０に示すカードホルダ１００と比較して、小型の金型（上側金型ＭＡ及び下側金型ＭＢ）を用いて製造することができるので、製造コストを低減することができる。
【００５３】
以上説明したように、第１実施形態に係るカードホルダ１は、カード保持部１０と、薄肉ヒンジ２０と、補強部３０とを有し、合成樹脂により一体成型されている。カード保持部１０は、平板状の本体部１１と、前記本体部１１表面から間隔を隔てた位置に形成された保持片１３とを有しており、前記本体部１１と前記保持片１３の間に挿入することで、識別カードＴを保持可能に構成されている。そして、当該カード保持部１０は、前記本体部１１における前記保持片１３と対向する範囲を開口した開口部１１Ａを有している。従って、当該カードホルダ１によれば、単純な金型構造である凹凸金型である上側金型ＭＡ及び下側金型ＭＢによって、カード保持部１０を構成する本体部１１及び保持片１３を形成することができる。
【００５４】
そして、第１実施形態に係るカードホルダ１において、薄肉ヒンジ２０は、前記カード保持部１０と、当該カード保持部１０における本体部１１の一辺側に平板状に形成された補強部３０の間において、前記カード保持部１０を、前記補強部３０に対して回動可能に接続している。従って、当該カードホルダ１によれば、薄肉ヒンジ２０を軸として、カード保持部１０を回動させることができ、当該カード保持部１０を補強部３０に対して重ね合わせた使用状態にすることができる。そして、当該カードホルダ１によれば、図６に示すように、当該カードホルダ１を使用状態にした場合に、前記開口部１１Ａの少なくとも一部分は、前記補強部３０と重なるように構成されている。この結果、第１実施形態に係るカードホルダ１によれば、補強部３０によって、カード保持部１０における保持片１３近傍の強度を補うことができ、十分な保持強度を実現し得る。
【００５５】
そして、第１実施形態に係るカードホルダ１は、更に、樹脂により一体成型された取付部５０と、枠体部４０とを有している。取付部５０は、前記薄肉ヒンジ２０が形成された前記補強部３０の一辺に対向し、且つ、前記カード保持部１０が回動可能な寸法離間した位置に形成され、当該カードホルダ１を対象物（例えば、コンテナＣや金属ラックＲ等）に取り付ける際に用いられる。枠体部４０は、薄肉ヒンジ２０が形成された前記補強部３０の一辺と、当該補強部３０の一辺に対向する前記取付部５０の一辺と共に、前記カード保持部１０の端縁を囲むように形成されている。従って、当該カードホルダ１によれば、当該カードホルダ１を使用状態とすることで、図４〜図６に示すように、カード保持部１０を、前記枠体部４０に相当する寸法の分、前記取付部５０から離間した位置に位置させることができる。
【００５６】
ここで、第１実施形態に係るカードホルダ１においては、物品の名称や属性、ロット番号等の多様な情報が記録された無線タグＴＷを有する識別カードＴが、使用状態にあるカード保持部１０に保持される。図７、図８に示すように、第１実施形態に係るカードホルダ１は、当該カードホルダ１を使用状態にすることにより、カード保持部１０に保持された識別カードＴの無線タグＴＷを、金属である棚枠ＲＡや、内部に金属製部品等を収納したコンテナＣから、枠体部４０に相当する距離以上離間した位置に位置させることができる。これにより、無線タグＴＷに記録された情報を読み取る際に送受信される電波が、金属製の棚枠ＲＡや、コンテナＣ内の金属製部品等から受ける影響を小さくすることができるため、当該カードホルダ１は、無線タグＴＷの読取不良が少ない態様で、識別カードＴを保持することができる。
【００５７】
（第２実施形態）
次に、上述した第１実施形態と異なる実施形態（第２実施形態）について、図面を参照しつつ詳細に説明する。第２実施形態に係るカードホルダ１は、第１実施形態に係るカードホルダ１と同様に、カード保持部１０と、薄肉ヒンジ２０と、補強部３０を有しており、カード保持部１０及び薄肉ヒンジ２０の構成は、基本的に第１実施形態と同様の構成である。この点、第２実施形態においては、補強部３０の構成、及び、枠体部４０、取付部５０を有していない点で、第１実施形態に係るカードホルダ１と相違する。第１実施形態と同一の構成については、その説明を省略し、相違点に係る構成について、詳細に説明する。
【００５８】
尚、第２実施形態においては、対象物（後述するコンテナＣや金属ラックＲ）に取り付けられる面を下面として、カードホルダ１の上下方向を定義し、カードホルダ１が通常状態である場合に、カード保持部１０側を後側、補強部３０側を前側として、前後方向を定義して説明する。又、カードホルダ１の左右方向については、対象物側から前側を向いた場合の左右方向として定義して説明する。
【００５９】
図１１、図１２に示すように、第２実施形態に係るカードホルダ１は、カード保持部１０は、カード保持部１０と、薄肉ヒンジ２０と、補強部３０を有している。第２実施形態に係るカード保持部１０は、本体部１１と、開口部１１Ａと、側壁１２と、保持片１３と、係止突起１４を有しており、第１実施形態に係るカード保持部１０と略同様の構成である。従って、第２実施形態に係るカード保持部１０は、図１３に示すように、本体部１１と保持片１３の間に、識別カードＴを挿入することにより、識別カードＴを保持するように構成されている。第２実施形態に係るカード保持部１０の構成については、第１実施形態において既に説明済みである為、その詳細な説明を省略する。
【００６０】
第２実施形態に係る薄肉ヒンジ２０は、第１実施形態に係る薄肉ヒンジ２０と同様に、カードホルダ１の前方部分を構成する補強部３０と、カード保持部１０の間において、カード保持部１０を構成する本体部１１の一辺側に沿って形成されている。当該薄肉ヒンジ２０は、第２実施形態に係るカードホルダ１を構成する各部（カード保持部１０や補強部３０）と一体に形成されており、カード保持部１０の本体部１１の厚み及び、補強部３０の厚みよりも薄く形成されている。従って、当該薄肉ヒンジ２０は、カード保持部１０及び補強部３０よりも薄肉に形成されることにより、前記カード保持部１０を、前記補強部に対して回動可能に接続し得る。
【００６１】
そして、第２実施形態に係る補強部３０は、第１実施形態に係る補強部３０と同様に、略四角形の平板状に形成されており、当該カードホルダ１の前方部分を構成する。補強部３０の後方側に位置する一辺には、薄肉ヒンジ２０が一体形成されており、カード保持部１０を回動可能に保持している。従って、図１２に示すように、薄肉ヒンジ２０を軸として、カード保持部１０を回動させて使用状態にすると、当該カード保持部１０は、補強部３０の上面に重ね合わされる。又、補強部３０の中央部分には、係止孔３１が形成されており、カード保持部１０の係止突起１４と協働することにより、カード保持部１０を補強部３０に重ね合わせた使用状態を維持する。
【００６２】
又、第２実施形態に係る補強部３０は、その四隅に、取付孔３２が形成されている。各取付孔３２は、第２実施形態に係るカードホルダ１を、対象物（例えば、コンテナＣの側壁面等）にネジ止めで固定する際に用いられる。尚、第２実施形態においては、カードホルダ１を対象物に取り付ける際に、ネジによって固定する態様を挙げていたが、この態様に限定されるものではない。対象物に対して補強部３０を固定することができれば、接着や溶着等の種々の方法を採用し得る。
【００６３】
そして、第２実施形態に係るカードホルダ１においても、当該カードホルダ１を対象物に取り付ける際には、図１２に示すように、薄肉ヒンジ２０を軸として、カード保持部１０を回動させて、カード保持部１０を補強部３０上面に重ね合わせて使用状態にする。図１１、図１２からわかるように、第２実施形態に係るカードホルダ１においては、カードホルダ１を使用状態にした場合に、カード保持部１０の開口部１１Ａは、その全域が補強部３０によって閉塞され、補強部３０と重なる位置に配置される。これにより、第２実施形態に係るカードホルダ１によれば、補強部３０によって、各保持片１３近傍の強度を補うことができ、カードホルダ１における保持強度を、十分なものとすることができる。
【００６４】
以上説明したように、第２実施形態に係るカードホルダ１は、第１実施形態と同様に、カード保持部１０と、薄肉ヒンジ２０と、補強部３０とを有し、合成樹脂により一体成型されている。カード保持部１０は、平板状の本体部１１と、前記本体部１１表面から間隔を隔てた位置に形成された保持片１３とを有しており、図１３に示すように、前記本体部１１と前記保持片１３の間に挿入することで、識別カードＴを保持可能に構成されている。そして、当該カード保持部１０は、前記本体部１１における前記保持片１３と対向する範囲を開口した開口部１１Ａを有している。従って、当該カードホルダ１によれば、単純な金型構造である凹凸金型によって、カード保持部１０を構成する本体部１１及び保持片１３を形成することができる。
【００６５】
そして、第２実施形態に係るカードホルダ１において、薄肉ヒンジ２０は、前記カード保持部１０と補強部３０の間において、前記カード保持部１０を、前記補強部３０に対して回動可能に接続している。従って、当該カードホルダ１によれば、薄肉ヒンジ２０を軸として、カード保持部１０を回動させることができ、当該カード保持部１０を補強部３０に対して重ね合わせた使用状態にすることができる（図１１、図１２参照）。そして、当該カードホルダ１によれば、当該カードホルダ１を使用状態にした場合に、前記開口部１１Ａの全域は、前記補強部３０と重なるように構成されている。この結果、第２実施形態に係るカードホルダ１によれば、補強部３０によって、カード保持部１０における保持片１３近傍の強度を補うことができ、十分な保持強度を実現し得る。
【００６６】
以上、実施形態に基づき本発明を説明したが、本発明は上述した実施形態に何ら限定されるものではなく、本発明の趣旨を逸脱しない範囲内で種々の改良変更が可能である。例えば、上述した第１実施形態においては、カードホルダ１の前方側に、補強部３０を配置し、薄肉ヒンジ２０を介して、カード保持部１０を、補強部３０上面に重ね合わせられるように、回動可能に接続しているが、この態様に限定されるものではない。即ち、第１実施形態に係るカードホルダ１と同様に、枠体部４０及び取付部５０を有する構成であっても、薄肉ヒンジ２０を介して、カード保持部１０を補強部３０上面に重ね合わせることができれば、補強部３０を、カードホルダ１の左側若しくは右側に形成した構成であってもよい。
【００６７】
又、上述した実施形態においては、識別カードＴは、物品の搬入、搬出及び管理等に利用される種々の情報を記録した無線タグＴＷを有するものであったが、この態様に限定されるものではない。即ち、識別カードＴは、物品の搬入、搬出及び管理等に利用される種々の情報を記録した記憶媒体（例えば、磁気テープ等）を有するものであっても良い。又、識別カードＴとして、その表面に、物品の搬入、搬出及び管理等に利用される種々の情報を印刷したものであっても良いし、これらの情報をコード化したもの（例えば、バーコードや二次元コード）を印刷したものを用いることも可能である。
【符号の説明】
【００６８】
１      カードホルダ
１０    カード保持部
１１    本体部
１１Ａ  開口部
１３    保持片
２０    薄肉ヒンジ
３０    補強部
４０    枠体部
５０    取付部
Ｔ      識別カード
ＴＷ    無線タグ
【図１】
2014099135.tif 000003
【図２】
2014099135.tif 000004
【図３】
2014099135.tif 000005
【図４】
2014099135.tif 000006
【図５】
2014099135.tif 000007
【図６】
2014099135.tif 000008
【図７】
2014099135.tif 000009
【図８】
2014099135.tif 000010
【図９】
2014099135.tif 000011
【図１０】
2014099135.tif 000012
【図１１】
2014099135.tif 000013
【図１２】
2014099135.tif 000014
【図１３】
2014099135.tif 000015